(57)【要約】【課題】  スリップリングとブラシの摩耗により寿命が短く、スリップリングとブラシの接触抵抗によって発光体５の輝度が変化するため、その変化が大きいときには、水中の魚群や海底と見間違えるという問題がある。【解決手段】  ケース１２の前面に表示板１３が装着され、ケース１２にモータ１４が固着され、モータ１４の回転軸１４ａに導光体１５の固着部１５ａが固着され、導光体１５は固着部１５ａからモータ１４の回転軸１４ａと同方向に伸び、表示板１３の前面で表示板１３に沿って伸び、表示板１３の端部で直角方向に伸びて、導光体１５の端部の発光部１５ｂが表示板１３のスリット１３ａに対面するように装着され、導光体１５の対向する方向にバランサ１６が固着され、導光体１５の固着部１５ａの近傍に発光素子１７が２個対向して装着され、発光素子１７に入力装置１８が接続され、入力装置１８に送受信装置１９が接続されている。【選択図】        図１
2006292622.tif 000002
【特許請求の範囲】
【請求項１】
ケースと、該ケースの前面に装着された水面と水底の深さ及び魚群等を表示する表示板と、前記ケースに固着されたモータと、該モータの回転軸に固着部が固着され、前記表示板のスリットに発光部が移動するように装着された導光体と、前記導光体の固着部近傍に配置された発光素子とからなることを特徴とするフラツシャー型魚群探知機。
【請求項２】
前記導光体の固着部から前記導光体と対向する方向に伸びるバランサを前記導光体に固着することを特徴とする請求項１記載のフラッシャー型魚群探知機。
【発明の詳細な説明】
【技術分野】
【０００１】
本発明は、導光体を回転し、発光素子を固定することによって、発光素子から発生した発光を導光体の先端に伝達するフラツシャー型魚群探知機に関するものである。
【背景技術】
【０００２】
従来、この種のフラッシャー型魚群探知機としては、図３及び図４に示すように、ケース１の前面の全周に窓２を設けた表示板３が装着され、この窓２に対向するように回転板４に発光体５が装着され、この回転板４はモータ６で回転するように構成され、又、回転板４の回転軸に装着されたスリップリング７にブラシ８が接触され、このブラシ８に入力装置９が接続されて表示装置１０が構成され、又、表示装置１０に送受信装置１１が接続されており、送受信装置１１から信号が入力されると、入力回路９からブラシ８及びスリップリング７を介して発光体５に発光電力が入力され、図４の表示装置１０の部分Ａが海面を示す発光体５の発光の起点となり、部分Ｂ、Ｃが魚群を示し、部分Ｄが海底を示すように構成している。
【０００３】
しかしながら、このように構成された本実施例のフラツシャー型魚群探知機では、発光体５を装着した回転板４をモータ６で回転し、送受信装置１１から入力回路９にデジタル信号が入力されると、入力回路９からブラシ８及びスリップリング７を通って発光体５に送られるので、スリップリング７とブラシ８の回転による摩耗によって寿命が短くなるとともに、スリップリング７とブラシ８の接触抵抗が変化することによって発光体５に流れる電流が変化し、発光体５の輝度が変化するため、その変化が大きいときには、水中の魚群や海底と見間違えるという問題があった。
【特許文献１】特願２００１−１７０９４１
【発明の開示】
【発明が解決しようとする課題】
【０００４】
解決しようとする問題点は、スリップリングとブラシを介して発光体に電力を供給しているため、スリップリングとブラシの摩耗により寿命が短く、又、スリップリングとブラシの接触抵抗によって発光体５の輝度が変化するため、その変化が大きいときには、水中の魚群や海底と見間違えるという問題がある。
【課題を解決するための手段】
【０００５】
本発明では、表示板は水面と水底の深さ及び魚群等を表示し、導光体の発光部が表示板のスリットを移動するように装着し、導光体の他端の固着部がモータの回転軸に固着され、モータによって導光体が回転され、発光素子が導光体の固着部近傍に配置され、送受信装置が発光素子に接続されるように構成される。
【発明の効果】
【０００６】
本発明は、発光素子を固定し、発光素子から発生した光信号を導光体によって表示板のスリットに導くことにより、スリップリングとブラシを省くことができ、それによって、寿命を長くすることができ、又、スリップリングとブラシによる接触抵抗がなく、発光素子の輝度が変化しないという利点がある。
【発明を実施するための最良の形態】
【０００７】
本発明では、モータの回転に同期して、深度のタイミングで発光素子が発光し、導光体で表示板のスリットに導き、回転時に導光体による重心の偏心をキャンセルするためのバランサを導光体と対向して装着し、魚群を探知するための超音波の送受信装置が設けられている。
【実施例】
【０００８】
図１は本発明の実施例のフラッシャー型魚群探知機の側面図、図２は図１のフラッシャー型魚群探知機の正面図で、ケース１２の前面に表示板１３が装着され、又、ケース１２にモータ１４が固着され、モータ１４の回転軸１４ａに導光体１５の固着部１５ａが固着され、この導光体１５は固着部１５ａからモータ１４の回転軸１４ａと同方向に伸び、表示板１３の前面で表示板１３に沿って伸び、表示板１３の端部で直角方向に伸びて、導光体１５の端部の発光部１５ｂが表示板１３のスリット１３ａに対面するように装着され、又、導光体１５の対向する方向にバランサ１６が固着され、さらに、導光体１５の固着部１５ａの近傍に発光素子１７が２個対向して装着され、発光素子１７に入力装置１８が接続され、入力装置１８に魚群探知機として構成される送受信装置１９が接続されている。
【０００９】
このように構成された本実施例のフラツシャー型魚群探知機では、送受信装置１９から入力装置１８に水面、水底及び魚群等の信号が入力されると、入力装置１８から発光素子１７に発光するタイミング信号が入力され、発光素子１７から発光信号が導光体１５の固着部１５ａに入力されると、導光体１５を通って発光部１５ｂで発光することにより、表示板１３のスリット１３ａの所定位置で発光され、表示板１３の０近傍で水面を表示し、水面から送受信装置１９で検出された魚群及び水底の位置で導光体１５の発光部１５ｂが発光することにより、水面、魚群、水底の位置をそれぞれ表示することができる。
【００１０】
このように、本実施例のフラツシャー型魚群探知機では、発光素子１７を固定し、導光体１５をモータ１４で回転することにより、導光体１５の発光部１５ａを表示板１３のスリット１３ａに対向して走行させることができるので、スリップリングやブラシを必要とせず、又、スリップリングやブラシによる接触抵抗によって発光素子１６の光量をの変化を無くすことができるという利点がある。
【産業上の利用可能性】
【００１１】
上記実施例では、導光体１５の固定部１５ａ近傍に発光素子１６を２個設けたが、１個でも良いし、又、２個以上設けてもよい。
【図面の簡単な説明】
【００１２】
【図１】本発明の実施例のフラツシャー型魚群探知機の側面図である。
【図２】図１のフラツシャー型魚群探知機の正面図である。
【図３】従来のフラツシャー型魚群探知機の表示装置の側面断面図である。
【図４】従来のフラツシャー型魚群探知機の表示装置の正面図である。
【符号の説明】
【００１３】
１２            ケース
１３            表示板
１４            モータ
１５            導光体
１６            バランサ
１７            発光素子
１８            入力装置
１９            送受信装置
【図１】
2006292622.tif 000003
【図２】
2006292622.tif 000004
【図３】
2006292622.tif 000005
【図４】
2006292622.tif 000006